(57)【要約】【課題】アナログ方式及びデジタル方式の表示面を有する計測表示器として、表示部分を大きなサイズで視認でき、表示の視認性が向上し、離れた位置からでも老眼でも見易くなるものを提供する。【解決手段】計測結果をアナログ方式又はデジタル方式で表示する表示面１０Ａを有する計測表示器本体１Ａと、計測表示器本体１Ａに装着する合成樹脂製カバー２Ａと、合成樹脂製カバー２Ａに一体形成されて表示面１０Ａの要所を拡大表示する拡大レンズ３Ａとを有してなる。【選択図】図１
0003141534.tif 000002
【実用新案登録請求の範囲】
【請求項１】
計測結果を指針によるアナログ方式又は数値によるデジタル方式で表示する表示面を有する計測表示器本体と、この計測表示器本体に対する取付部材と、該取付部材に設けられて前記表示面の要所を拡大表示する拡大レンズとを有してなる計測表示器。
【請求項２】
前記取付部材が計測表示器本体に着脱自在に外嵌する合成樹脂製カバーからなる請求項１に記載の計測表示器。
【請求項３】
拡大レンズが合成樹脂製カバーに一体形成されてなる請求項２に記載の計測表示器。
【請求項４】
計測表示器本体が携帯型である請求項１〜３のいずれかに記載の計測表示器。
【考案の詳細な説明】
【技術分野】
【０００１】
本考案は、種々の電気的及び理化学的測定結果をアナログ方式やデジタル方式で表示する表示面を有する計測表示器に関する。
【背景技術】
【０００２】
計測表示器として、旧来汎用の電流計や電圧計のように計測結果を指針によるアナログ方式で表示するものと、計測結果の数値を液晶画面等にデジタル方式で表示するものとがあるが、近年の電子技術の伸展に伴い、アナログ方式でも所謂ポケットサイズといった超小型の携帯用のものが登場すると共に、デジタル方式では携帯用として電流、電圧、周波数、温湿度、速度、圧力、振動、回転数、磁力、風速、光量、紫外線量、音量、ｐＨ等の極めて多種多様な物理量を計測対象とするものが市販されている。
【考案の開示】
【考案が解決しようとする課題】
【０００３】
ところで、最近においては、これら計測表示器に関し、使用者から視認性向上や老眼対応のために表示を大きくして欲しいという要望が増えている。しかるに、表示サイズを大きくすると、それだけ大きな表示面積を要するから、計測表示器全体のサイズも大きくなって携帯用としての商品価値を損なうと共に、計測表示器の種類によっては表示サイズを大きくできない場合ある。
【０００４】
本考案は、上述の情況に鑑み、アナログ方式及びデジタル方式の表示面を有する計測表示器にとして、表示部分を大きなサイズで視認でき、もって表示の視認性が向上し、離れた位置からでも、また老眼でも見易くなるものを提供することを目的としている。
【課題を解決するための手段】
【０００５】
上記課題を解決するための手段を、後述する実施形態の参照符号を付して説明すると、本考案の請求項１に係る計測表示器は、計測結果を指針１３によるアナログ方式又は数値１４によるデジタル方式で表示する表示面１０Ａ，１０Ｂを有する計測表示器本体１Ａ，１Ｂと、この計測表示器本体１Ａ，１Ｂに対する取付部材（合成樹脂製カバー２Ａ，２Ｂ）と、該取付部材に設けられて前記表示面１０Ａ，１０Ｂの要所を拡大表示する拡大レンズ３Ａ，３Ｂとを有してなる構成としている。
【０００６】
請求項２の考案は、上記請求項１の計測表示器において、取付部材が計測表示器本体１Ａ，１Ｂに着脱自在に外嵌する合成樹脂製カバー２Ａ，２Ｂからなるものとしている。
【０００７】
請求項３の考案は、上記請求項２の計測表示器において、拡大レンズ３Ａ，３Ｂが合成樹脂製カバー２Ａ，２Ｂに一体形成されてなるものとしている。
【０００８】
請求項４の考案は、上記請求項１〜３のいずれかの計測表示器において、計測表示器本体１Ａ，１Ｂが携帯型であるものとしている。
【考案の効果】
【０００９】
上記解決手段による考案の効果を、後述する実施形態の参照符号を付して説明すると、請求項１の考案に係る計測表示器によれば、表示面１０Ａ，１０Ｂの要所が拡大レンズ３Ａ，３Ｂの拡大視野で表示されるから、表示の視認性が向上し、離れた位置からでも見易くなると共に、老眼でも見易くなる。そして、拡大レンズ３Ａ，３Ｂは取付部材を介して計測表示器本体１Ａ，１Ｂに取り付ける構成であるから、該計測表示器本体１Ａ，１Ｂそのものは既存構成を改変する必要がない上、既に使用中の計測表示器に適用して拡大レンズ３Ａ，３Ｂによる拡大表示で視認性を向上させることも可能である。
【００１０】
請求項２の考案によれば、取付部材としての合成樹脂製カバー２Ａ，２Ｂは、計測表示器本体１Ａ，１Ｂに対して着脱自在であるから、拡大表示が必要な場合に該本体１Ａ，１Ｂに装着し、不要時には取り外しておくことが可能であり、また既存の計測表示器本体１Ａ，１Ｂにも容易に適用できるという利点がある。
【００１１】
請求項３の考案によれば、拡大レンズ３Ａ，３Ｂと合成樹脂製カバー２Ａ，２Ｂとを合成樹脂の一体成形物として容易に低コストで製作できるという利点がある。
【００１２】
請求項４の考案によれば、携帯型の計測表示器本体１Ａ，１Ｂにおいて、その小さな表示面１０Ａ，１０Ｂにおける小さい表示を、拡大レンズ３Ａ，３Ｂによる拡大視野で見易くできるという利点がある。
【考案を実施するための最良の形態】
【００１３】
以下、本考案に係る計測表示器の実施形態について、図面を参照して具体的に説明する。図１及び図２は計測値をアナログ方式で表示する第一実施形態の計測表示器、図３は計測値をデジタル方式で表示する第二実施形態の計測表示器を示す。
【００１４】
第一実施形態の計測表示器は交流用アナログ式電流計であり、図１（Ａ）に示すように、その計測表示器本体１Ａは正面視矩形で前後に偏平な箱型をなしており、前面に設けられた窓状の表示面１０Ａには、円弧方向に沿った目盛り１１と電流値の数字１２が表示されると共に、この目盛り１１上で計測値を指し示す指針１３が配置している。なお、表示面１０Ａは全体がガラス又は合成樹脂からなる透明保護板で覆われている。
【００１５】
図１（Ｂ）及び図２は、計測表示器本体１０Ａに、拡大レンズ３Ａ付きの透明な合成樹脂製カバー２Ａを装着した状態を示す。この合成樹脂製カバー２Ａは、前壁部２０、上壁部２１、左右側壁部２２，２２、両側壁部２２，２２の後端から内向きに突出した後壁部２３，２３よりなる枠状をなし、計測表示器本体１Ａに対して上方から外嵌することにより、上壁部２１が計測表示器本体１Ａの頂端面に接して係止され、この状態で前壁部２０が計測表示器本体１Ａの表示面１０Ａの全体を覆うサイズに設定されている。
【００１６】
しかして、合成樹脂製カバー２Ａのる前壁部２０は、周辺部を除いた中央側が、中央部ほど大きく前方へ膨出する凸レンズ状に厚肉化して、拡大レンズ３Ａを構成している。
【００１７】
従って、図１（Ｂ）に示すように、該合成樹脂製カバー２Ａを計測表示器本体１Ａに外嵌装着することにより、該本体１Ａの表示面１０Ａが拡大レンズ３Ａの凸レンズ効果で拡大して視認され、目盛り１１及び数字１２が大きく表示されるため、指針１３によって示される計測値が離れた位置からでも確認し易く、また老眼でも見易くなる。
【００１８】
第二実施形態の計測表示器は、携帯電話程度のポケットサイズのデジタル式計測表示器全般を代表的に示すものである。図３（Ａ）に示すように、計測表示器本体１Ｂは、縦長矩形の厚板状をなし、その前面には、上部に配置した横長矩形の表示面１０Ｂと共に、所要の操作ボタン１５…や作動ランプ１６が設けてある。そして、表示面１０Ｂには、所定の物理量の計測値が液晶ディスプレイによって数値１４でデジタル表示されるようになっている。
【００１９】
図３（Ｂ）は、計測表示器本体１Ｂに拡大レンズ３Ｂ付きの透明な合成樹脂製カバー２Ｂを装着した状態を示す。この合成樹脂製カバー２Ｂは、計測表示器本体１Ｂの上部を套嵌する横長矩形のキャップ状をなし、その前壁部２４の一部が前方へ膨出する凸レンズ状に厚肉化して拡大レンズ３Ｂを構成しており、計測表示器本体１Ｂの上部に外嵌装着することにより、拡大レンズ３Ｂが表示面１０Ｂの数値１４の表示域を覆うように寸法設定されている。従って、この合成樹脂製カバー２Ｂの装着状態において、表示面１０Ｂの数字１４が凸レンズ効果で拡大表示されるから、前記第一実施形態の場合と同様に、離れた位置からでも、また老眼でも見易くなる。
【００２０】
なお、本考案においては、計測表示器本体に対する取付部材としての合成樹脂製カバーに、別体の拡大レンズを固定したり、該拡大レンズを摺動又は揺動可能に取り付けて拡大視野を移動し得る構成にしてもよい。また、計測表示器本体に対する拡大レンズの取付部材として、合成樹脂製カバーに代えてネジによる締め付けやばね力を利用して該本体に固定する種々の取付構造も採用できる。ただし、取付部材としての合成樹脂製カバーは、計測表示器本体に対して着脱自在であるから、拡大表示が必要な場合に該本体に装着し、不要時には取り外しておくことが可能であり、また既存の計測表示器本体にも容易に適用できるという利点がある。更に、前記第一及び第二実施形態のように合成樹脂製カバー２Ａ，２Ｂに拡大レンズ３Ａ，３Ｂが一体化した構成では、両者を合成樹脂の一体成形物として容易に低コストで製作できると共に、その保管や運搬における取扱い性も向上するという利点がある。なお、計測表示器本体に対する前記の合成樹脂製カバーを含む取付部材は、計測表示器本体から導出する計測用の端子やケーブル等の付属部材との干渉を避ける形態とすればよい。
【００２１】
本考案を適用する計測表示器としては、計測結果を指針によるアナログ方式又は数値によるデジタル方式で表示する表示面を有するものであればよく、その表示面の大きさと形状、本体の形態及び計測対象に特に制約はないが、携帯型のものが好適である。しかして、計測対象の物理量としては、例えば電流、電圧、周波数、温度、湿度、速度、圧力、振動量、回転数、磁力、風速、光量、紫外線量、音量、ｐＨ等、極めて多種があるが、これらの複数種を計測する計測表示器にも本考案を適用できることは言うまでもない。
【図面の簡単な説明】
【００２２】
【図１】本考案の第一実施形態に係る計測表示器を示し、（Ａ）計測表示器本体の正面図、（Ｂ）は該計測表示器本体に拡大レンズ付きの合成樹脂カバーを装着した状態の正面図である。
【図２】図１（Ｂ）のＸ−Ｘ線の断面矢視図である。
【図３】本考案の第二実施形態に係る計測表示器を示し、（Ａ）計測表示器本体の正面図、（Ｂ）は該計測表示器本体に拡大レンズ付きの合成樹脂カバーを装着した状態の正面図である。
【符号の説明】
【００２３】
１Ａ，１Ｂ      計測表示器本体
１０Ａ，１０Ｂ  表示面
１１            目盛り
１２            数字
１３            指針
１４            数値
２Ａ，２Ｂ      合成樹脂カバー
３Ａ，３Ｂ      拡大レンズ
【図１】
0003141534.tif 000003
【図２】
0003141534.tif 000004
【図３】
0003141534.tif 000005